(57)【要約】【課題】ロッドホールダーは、高価な上重くて持ち運びに不便、叉車止めの無い離岸提や防波堤等では使えない、従ってクーラーボックスの機能とロッドホールダーの機能を一体化する事により、前述の欠点を解決し、あらゆる場所での使用を可能にする。【解決手段】  本考案はクーラーボックス本体１の正面と裏面に、竿掛け１Ａと竿受け１Ｂの金具を装着し、二本の竿を掛けても竿の重さや風圧でクーラーボックス本体１が転倒しないように、クーラーボックスの底を二重底にし、二重底の空間に海水収納室３を設け、適量の海水を注入し転倒防止を図る。叉海水収納室３の大量の海水を早く抜く為に、クラボックス本体１の側面下に直径約四センチの水抜きバブル８を設ける事で、問題点を解決している。【選択図】  図１
0003112074.tif 000002
【実用新案登録請求の範囲】
【請求項１】
クーラーボックス本体の底を二重底にする。外底と中底の間隔を約５センチ取る事で、海水が６リットル入る海水収納室を設ける。海水を注入する事で、海水が重りの役割を果たし、クーラーボックス本体の転倒防止を図る。
【請求項２】
従来型の水抜き栓は、クーラーボックス本体の底にあるので水を抜くときは、クーラーボックス本体を４５度傾けるか裏返すか、しないと水が抜けないので難儀、水抜き栓をクーラーボックス本体の側面下に装着する事で、楽に水抜きが出きる。
【請求項３】
クーラーボックス本体の蓋が開く方の正面左端、上と下に竿受け金具２個を装着し、且つ右端下に竿止め金具１個を装着する。又裏面にも右端、上と下に竿受け金具２個を装着し、且つ左端下に竿止め金具１個を装着する。この竿受け、竿止め金具は共に開閉式にする。海水を重り代りに利用することを特徴とする竿掛け付クーラーボックス。
【考案の詳細な説明】
【技術分野】
【０００１】  本考案は、竿掛け金具、海水収納室等を取り付けた、竿掛け付クーラーボックス  に関するものである。
【背景技術】
【０００２】  離岸提等で釣をする時、竿掛けが無くて困るときがよくある。また漁港等では、ロッドホルダー等で車止めのコンクリートに固定し、竿を掛けていた。
【考案の開示】
【考案が解決しようとする課題】
【０００３】  ロッドホルダーは、高価なうえ重くて持ち運びに不便、また車止めの無い離岸提や防波堤等では使えない。従って、クーラーボックスの機能とロッドホルダーの機能を一体化する事により、あらゆる場所での使用を可能にする。
【課題を解決するための手段】
【０００４】  本考案は、内容量２６リットル以上の大型クーラーボックスの正面と裏に、竿掛け用の金具、アルミ又はステンレスを装着する。クーラーボックスの底を２重底にする。２重底の空間に海水収納室を設けて、海水６リットルを入れる事により転倒防止を図る。又従来の内容量、２６リットルのクーラーボックスは縦３６０ｍｍ、横４７５ｍｍ、幅２８０ｍｍ、で出来ているが幅が狭く不安定なので、幅を３５０ｍｍにする事で安定し、問題点を解決している。
【考案の効果】
【０００５】  上述の様に、本考案の竿掛け付クーラーボックスは、クーラーボックスとして使う事は勿論、竿掛けとしても使えるので、一人で１本の竿で浮釣りしながら、もう２本の竿でブッコミ釣りと両方楽しむ事が可能。また荷物にもならないし、持ち運ぶ時は、クーラーボックスの重りである海水を抜くことにより、楽に移動ができる。
【考案の実施するための最良の形態】
【０００６】  クーラーボックスの蓋が開閉する正面に、半円形の金具１Ａを、左端の上に１個、下に１個、共に上向きに装着し、右端下に１Ｂを１個下向きに装着する。同じく裏面にも１Ａを右端の上に１個、下に１個装着し、左端下に１Ｂを１個装着し、同じ方向に竿が出るようにする。上向きの半円形の金具１Ａすなわち竿受けに竿を置き、下向きの半円形の金具１Ｂ竿止めに、竿の握る部分を差し込む事により、竿は水平と４０度の角度に維持出来る。
【実施例】
【０００７】  以下、添付図に従って一実施例を説明する。１は耐久性のプラスチックス等適宣素材にて、一体化形成されたクーラーボックス本体、１Ａ、１Ｂは半円形の金具、アルミ又はステンレス等錆びの出ない素材で作る。１の正面に３個を装着する、左端の上に１個、下に１個、上向きに装着、この金具は竿受け用になる。１Ｂを下の右端に１個下向きに装着、この金具は竿止め用。１Ａ、１Ｂは厚さ５ミリで、直径５センチの半円形の金具。１Ａ、１Ｂ、は開閉式とする、１Ａ、１Ｂはクーラーボックスの製造段階に一体化形成させる。【０００８】  ３は転倒防止用の海水収納室に海水６リットルを注入する事で、転倒防止を図る。クーラボックスの底は２重底とし、外底と中底の間隔を約５センチ取り海水が６リットル入る海水収納室３を設ける。中底５の強度を保つため中底５と外底６の間に円筒形の支柱５本を装着し、中底５に直径７センチの海水注入口７を装着する蓋も取り付ける。また従来の水抜き栓は、クーラーボックスの底に有るので、開け閉めする時不便なのでクーラーボックスの側面下に、７センチの水抜き栓８を装着する。３、８、９、は製造段階に一体化形成させる。【０００９】  本考案の一実施例は上述の如き構成からなるものであるから、クーラーボックス本体１をクーラーとして、用いることは勿論であるが、海水収納室３に海水６リットルを注入することで、クーラーボックス本体１は安定するので竿掛け付クーラボックスとして使える。
【図面の簡単な説明】
【００１０】
【図１】  本考案の竿掛け付クーラーボックスの一実施例を示す正面図である。
【図２】  本クーラーボックスの一部切欠断面図である。
【図３】  本クーラーボックスの中底図である。
【図４】  本クーラーボックスの側面図である。
【符号の説明】
【００１１】１    クーラーボックス本体
１Ａ  竿受け金具
１Ｂ  竿止め金具
２    蓋
３    海水収納室
４    脚
５    中底
６    外底
７    海水注入口
８    水抜き栓
９    円筒形の支柱
【図１】
0003112074.tif 000003
【図２】
0003112074.tif 000004
【図３】
0003112074.tif 000005
【図４】
0003112074.tif 000006
【手続補正書】
【提出日】平成16年5月21日(2004.5.21)
【手続補正１】
【補正対象書類名】実用新案登録請求の範囲
【補正対象項目名】請求項１
【補正方法】変更
【補正の内容】
【請求項１】
ク−ラ−ボックス本体の底を二重底にする。外底と中底の間隔を約五センチ取る事で海水が入る海水収納室を設ける。海水を注入する事で海水が重りの役割を果たし、ク−ラ−ボックス本体の転倒防止を図る。
【手続補正２】
【補正対象書類名】明細書
【補正対象項目名】０００４
【補正方法】変更
【補正の内容】
【０００４】本考案は、ク−ラ−ボックスの正面と裏に、竿掛け用の金具、アルミ叉はステンレスを装着する。ク−ラ−ボックスの底を二重底にする。二重底の空間に海水収納室を設けて、海水を入れる事により転倒防止を図る事で、問題点を解決している。
【手続補正３】
【補正対象書類名】明細書
【補正対象項目名】０００８
【補正方法】変更
【補正の内容】
【０００８】３は転倒防止用の海水収納室に海水を注入する事で、転倒防止を図る。ク−ラ−ボックスの底は２重底とし、外底と中底の間隔を約五センチ取り海水が入る海水収納室３を設ける。中底５の強度を保つため中底５と外底６の間に円筒形の支柱を装着し、中底５に直径約七センチの海水注入口７を装着し蓋も取り付ける叉従来の水抜栓は、ク−ラ−ボックスの底に有るので、開け閉めする時不便なのでク−ラ−ボックスの側面下に約七センチの水抜バルブ８を装着する。３、８、９は製造段階に一体化形成させる。
【手続補正４】
【補正対象書類名】明細書
【補正対象項目名】０００９
【補正方法】変更
【補正の内容】
【０００９】本考案の一実施例は上述の如き構成から成るものであるから、ク−ラ−ボックス本体１を、ク−ラとして用いる事は勿論であるが、海水収納室に海水を注入することで、ク−ラ−ボックス本体１は安定するので、竿掛け付ク−ラ−ボックスとして使える。
【手続補正５】
【補正対象書類名】明細書
【補正対象項目名】補正の内容のとおり
【補正方法】変更
【補正の内容】
0003112074.tif 000007
【手続補正書】
【提出日】平成16年7月7日(2004.7.7)
【手続補正１】
【補正対象書類名】実用新案登録請求の範囲
【補正対象項目名】全文
【補正方法】変更
【補正の内容】
【実用新案登録請求の範囲】
【請求項１】
ク−ラ−ボックス本体の底を二重底にし、前記二重底の空間に海水等を入れる海水収納室を設けた事を特徴とする、釣竿掛け付ク−ラ−ボックス。
【請求項２】
ク−ラ−ボックス本体の側面下に直径が約四センチの海水収納室と、外に通ずる水抜き穴と水抜き穴をふさぐバルブを設けた事を、特徴とする請求項１記載の釣竿掛け付ク−ラ−ボックス。
【請求項３】
ク−ラ−ボックス本体の長方形の外面の一面叉は二面に、竿受金具二個をク−ラ−ボックス本体の蓋が開く方の正面の、左端上に一個、左端下に一個装着し且つ右端下に竿止め金具一個を装着し、この竿受け竿止め金具はともに開閉式にする、釣竿を二つの角度で保持できる事を特徴とした、請求項１、及び請求項２記載の釣竿掛け付ク−ラ−ボックス。
【手続補正２】
【補正対象書類名】明細書
【補正対象項目名】全文
【補正方法】変更
【補正の内容】
【考案の詳細な説明】
【技術分野】
【０００１】  本考案は、竿受けと竿止金具を設け、叉海水収納室を設けた、ク−ラ−ボックスに関するものである。
【背景技術】
【０００２】  離岸提で釣をする時、竿掛けが無くて困る時がある叉漁港等では、ロッドホ−ルダ−等で、車止めのコンクリ−トに固定し竿を掛けていた。
【考案の開示】
【考案が解決しようとする課題】
【０００３】  ロッドホ−ルダ−は、高価な上重くて持ち運びに不便叉車止めの無い離岸提や、防波堤等では使えない従って、ク−ラ−ボックスの機能とロッドホ−ルダ−の機能を一体化する事により、前述の欠点を解決し、あらゆる場所での使用を可能にする。
【課題を解決するための手段】
【０００４】  本考案は、ク−ラ−ボックスの正面と裏面に、竿掛けと竿受けの金具を装着し、二本の竿を掛けても竿の重さや風圧でク−ラ−ボックスが転倒しないようにク−ラ−ボックスの底を二重底にし、二重底の空間に海水収納室を設け、適量の海水を注入し転倒防止を図る。叉海水収納室の大量の海水を早く抜く為に、ク−ラ−ボクッスの側面下に直径約四センチの水抜きバブルを設ける事で、問題点を解決している。
【考案の効果】
【０００５】  上述の様に、本考案の竿掛け付ク−ラ−ボックスは、ク−ラ−ボックスとして使う事は勿論、竿掛けとしても使えるので一人で１本の竿で浮釣りしながら、二本の竿を竿掛け付きク−ラ−ボックスに掛け、同時に三本の竿で釣が出来る。叉荷物にもならないし、持ち運ぶ時はク−ラ−ボックスの重りである海水を抜くことで楽に移動ができるし、離岸提や防波堤等あらゆる場所での使用を可能にする。
【考案の実施するための最良の形態】
【０００６】  ク−ラ−ボックスの蓋が開閉する正面に、竿受け用の金具、竿掛け用の金具は共に半円形の金具で開閉式にする。竿受け用の金具を左端上に一個、左端下に一個、共に上向きに装着し、右端下に竿止め用の金具一個下向きに装着する。同じく裏面にも竿掛け用の金具を右端上に一個、左端下に一個共に上向きに装着し、左端下に竿止め用の金具一個下向きに装着し同じ方向に竿が出るようにする。叉ク−ラ−ボックスに二本の竿を掛けても、竿の重さや風圧で転倒しないようにク−ラ−ボックスの底を二重底にし、二重底の空間に海水収納室を設け、適量の海水を注入することで転倒防止を図る。また海水収納室の大量の海水を抜くために、ク−ラ−ボックスの側面下に直径約四センチの水抜きバブルを設ける。
【実施例】
【０００７】  以下、添付図に従って一実施例を説明する。１は耐久性のプラスチックス等適宣素材にて一体化形成されたク−ラ−ボックス本体、１Ａ、１Ｂはアルミやステンレスなど錆びの出ない素材で太さ五ミリの丸い棒状の素材を、直径五センチの半円形に加工し、１の蓋が開閉する正面に１Ａを左端上に一個、下に一個上向きに装着しこの金具は竿受け用になる。１Ｂを右端下に一個装着する、この金具は竿止め用になる、叉裏面にも１Ａを右端上に一個、下に一個上向きに装着し１Ｂを左端下に一個装着する。１Ａ、１Ｂは開閉式にし、ク−ラ−ボックスに対し正角で止まる用にし竿を掛けない時は１に収納する、１Ａ、１Ｂはク−ラ−ボックスの製造段階に１体化形成させる。【０００８】  ３は、ク−ラ−ボックス本体１の竿掛け金具１Ａ、１Ｂに二本の竿を掛けても竿の重さや風圧に耐えられる様にク−ラ−ボックスの底は二重底とし、外底６と中底５の間隔を約五センチ取り海水を入れる海水収納室３を設ける。中底５の強度を保つため中底５と外底６の間に円筒形の支柱９二本か三本を装着し、中底５に直径七センチの海水注入口７を装着し蓋も取り付ける。叉海水収納室の大量の海水を抜くには今までの水抜き栓では時間がかかり不便なので、ク−ラ−ボックスの側面下に、直径約四センチの水抜きバブル８を設けて海水を抜く時間の短縮を図る。５、７、８、９はク−ラ−ボックスの製造段階に一体化形成させる。【０００９】  本考案の一実施例は上述の如き構成から成るものであるから、ク−ラ−ボックス本体１をク−ラとして用いる事は勿論であるが、海水収納室に海水を注入することでク−ラ−ボックス本体１は安定するので、釣竿掛け付ク−ラ−ボックスとして便利に使える。
【手続補正書】
【提出日】平成16年9月15日(2004.9.15)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  本考案は、竿受けと竿止金具を設け、叉海水収納室を設けた、クーラーボックスに関するものである。
【背景技術】
【０００２】  離岸提で釣をする時、竿掛けが無くて困る時がある叉漁港等では、ロッドホールダー等で、車止めのコンクリートに固定し竿を掛けていた。
【考案の開示】
【考案が解決しようとする課題】
【０００３】  ロッドホールダーは、高価な上重くて持ち運びに不便叉車止めの無い離岸提や、防波堤等では使えない従って、クーラーボックスの機能とロッドホールダーの機能を一体化する事により、前述の欠点を解決し、あらゆる場所での使用を可能にする。
【課題を解決するための手段】
【０００４】  本考案は、クーラーボックスの正面と裏面に、竿掛けと竿受けの金具を装着し、二本の竿を掛けても竿の重さや風圧でクーラーボックスが転倒しないようにクーラーボックスの底を二重底にし、二重底の空間に海水収納室を設け、適量の海水を注入し転倒防止を図る。叉海水収納室の大量の海水を早く抜く為に、クーラーボクッスの側面下に直径約四センチの水抜きバブルを設ける事で、問題点を解決している。
【考案の効果】
【０００５】  上述の様に、本考案の竿掛け付クーラーボックスは、クーラーボックスとして使う事は勿論、竿掛けとしても使えるので一人で１本の竿で浮釣りしながら、二本の竿を竿掛け付きクーラーボックスに掛け、同時に三本の竿で釣が出来る。叉荷物にもならないし、持ち運ぶ時はクーラーボックスの重りである海水を抜くことで楽に移動ができるし、離岸提や防波堤等あらゆる場所での使用を可能にする。
【考案の実施するための最良の形態】
【０００６】  クーラーボックスの蓋が開閉する正面に、竿受け用の金具、竿掛け用の金具は共に半円形の金具で開閉式にする。竿受け用の金具を左端上に一個、左端下に一個、共に上向きに装着し、右端下に竿止め用の金具一個下向きに装着する。同じく裏面にも竿掛け用の金具を右端上に一個、左端下に一個共に上向きに装着し、左端下に竿止め用の金具一個下向きに装着し同じ方向に竿が出るようにする。叉クーラーボックスに二本の竿を掛けても、竿の重さや風圧で転倒しないようにクーラーボックスの底を二重底にし、二重底の空間に海水収納室を設け、適量の海水を注入することで転倒防止を図る。また海水収納室の大量の海水を抜くために、クーラーボックスの側面下に直径約四センチの水抜きバブルを設ける。
【実施例】
【０００７】  以下、添付図に従って一実施例を説明する。１は耐久性のプラスチックス等適宣素材にて一体化形成されたクーラーボックス本体、１Ａ、１Ｂはアルミやステンレスなど錆びの出ない素材で太さ五ミリの丸い棒状の素材を、直径五センチの半円形に加工し、１の蓋が開閉する正面に１Ａを左端上に一個、下に一個上向きに装着しこの金具は竿受け用になる。１Ｂを右端下に一個装着する、この金具は竿止め用になる、叉裏面にも１Ａを右端上に一個、下に一個上向きに装着し１Ｂを左端下に一個装着する。１Ａ、１Ｂは開閉式にし、クーラーボックスに対し正角で止まる用にし竿を掛けない時は１に収納する、１Ａ、１Ｂはクーラーボックスの製造段階に１体化形成させる。【０００８】  ３は、クーラーボックス本体１の竿掛け金具１Ａ、１Ｂに二本の竿を掛けても竿の重さや風圧に耐えられる様にクーラーボックスの底は二重底とし、外底６と中底５の間隔を約五センチ取り海水を入れる海水収納室３を設ける。中底５の強度を保つため中底５と外底６の間に円筒形の支柱９二本か三本を装着し、中底５に直径七センチの海水注入口７を装着し蓋も取り付ける。叉海水収納室の大量の海水を抜くには今までの水抜き栓では時間がかかり不便なので、クーラーボックスの側面下に、直径約四センチの水抜きバブル８を設けて海水を抜く時間の短縮を図る。５、７、８、９はクーラーボックスの製造段階に一体化形成させる。【０００９】  本考案の一実施例は上述の如き構成から成るものであるから、クーラーボックス本体１をクーラとして用いる事は勿論であるが、海水収納室に海水を注入することでクーラーボックス本体１は安定するので、釣竿掛け付クーラーボックスとして便利に使える。
【図面の簡単な説明】
【００１０】
【図１】本考案の竿掛け付クーラーボックスの一実施例を示す正面図である
【図２】本クーラーボックスの一部切欠断面図である
【図３】本クーラーボックスの中底図である
【図４】本クーラーボックスの側面図である
【符号の説明】
【００１１】１    竿掛け付クーラーボックス本体
１Ａ  竿受け金具
１Ｂ  竿止め金具
２    蓋
３    海水収納室
４    脚
５    中底
６    外底
７    海水注入口
８    水抜きバブル
９    円筒形の支柱